(57)【要約】【課題】  室内ユニットからの外部接続配管の位置決め方法を変更することで、省スペース化や低コストを実現できるようにすることを課題とする。【解決手段】  熱交換器１と、外部の冷媒配管に接続する外部接続配管２ａ、２ｂとによって構成される室内ユニットの冷媒回路を備えた空気調和装置において、室内ユニットの所定箇所に、外部接続配管２ａ、２ｂを通す孔６ａ、６ｂを開けたパネル４を設け、外部接続配管２ａ、２ｂの外部先端から所定長さの位置に固定部材３ａ、３ｂを固着し、外部接続配管２ａ、２ｂをパネル４の孔６ａ、６ｂから外に突出させて、固定部材３ａ、３ｂをパネル４に固定手段５で固定した。【選択図】  図１
2006275456.tif 000002
【特許請求の範囲】
【請求項１】
熱交換器と、外部の冷媒配管に接続する外部接続配管とによって構成される室内ユニットの冷媒回路を備えた空気調和装置において、上記室内ユニットの所定箇所に上記外部接続配管を通す孔を開けたパネルを設け、上記外部接続配管の外部先端から所定長さの位置に固定部材を設け、上記外部接続配管を上記パネルの孔から外に突出させて、上記固定部材を上記パネルに固定手段で固定するようにした構成を特徴とする空気調和装置。
【請求項２】
固定手段が、ネジであることを特徴とする請求項１記載の空気調和装置。
【発明の詳細な説明】
【技術分野】
【０００１】
この発明は室内ユニットの冷媒回路を備えた空気調和装置に関するものである。
【背景技術】
【０００２】
空気調和装置において、熱交換機と外部冷媒配管との接続配管によって構成される冷媒回路の室内ユニットを梱包して出荷する場合、従来は上記外部冷媒配管をサドルやゴムを使って固定したり、屈曲形成された配管形状だけで、室内ユニットのパネルから突出する長さの位置決めを行なって梱包し出荷している。
【０００３】
また、下記の特許文献１に開示のものでは、配管部分に溶接またはロウ付けした金属板は、配管どうしの接続を目的としており、配管の位置決めの役割を果たしていない。
【０００４】
上記のような外部接続配管形状は、サドルやゴムを使った固定方法ではコストが高いことや、配管スペースが狭いためサドルスペースの確保が難しい。よって、配管形状だけで位置決めしている場合が多いが、必要以上に室内ユニットのパネルから突出しすぎたりして、梱包材との接触や梱包材から飛び出した部分が外部と接触することで配管破損の恐れがある。そのため、予め梱包寸法を大きく設定する必要があった。また、室内ユニットのパネルの内側に外部接続配管が入りすぎたりすることで、パネル配管貫通部塞ぎ断熱材と、外部接続配管のロウ付け部が近くなり、ロウ付け時に断熱材を焼き、シール機能を損なう恐れがある。
【０００５】
【特許文献１】特開平１１−３０４０５１号公報
【発明の開示】
【発明が解決しようとする課題】
【０００６】
この発明は上記のような問題点を解消するためになされたものであり、室内ユニットからの外部接続配管の位置決め方法を変更することで、省スペース化や低コストを実現できる空気調和装置を提供することを目的としている。
【課題を解決するための手段】
【０００７】
請求項１記載の発明は、熱交換器と、外部の冷媒配管に接続する外部接続配管とによって構成される室内ユニットの冷媒回路を備えた空気調和装置において、上記室内ユニットの所定箇所に上記外部接続配管を通す孔を開けたパネルを設け、上記外部接続配管の外部先端から所定長さの位置に固定部材を設け、上記外部接続配管を上記パネルの孔から外に突出させて、上記固定部材を上記パネルに固定手段で固定するようにした構成にしてある。
【０００８】
請求項２記載の発明は、請求項１記載の空気調和装置において、固定手段が、ネジであることを特徴とする構成にしてある。
【発明の効果】
【０００９】
請求項１記載の本発明によれば、パネルの孔から外への外部接続配管の突出長さを固定でき、室内ユニットの輸送の際に、外部接続配管の外部先端と一定間隔をもって梱包した梱包材と内部で接触するといったことがなく、また梱包材から飛び出して外部のものと接触することもなくなる。したがって、輸送時に外部接続配管が破損することなく、また梱包材は従来のように予め大きく設計したものを使用しなくても適正梱包寸法で設計したものを使用できる。それゆえに、外部接続配管をパネルに安価な方法で固定できることや、外部接続配管の保護やシール性維持によって能力低下およびゴミ侵入を防止できる。
【００１０】
請求項２記載の本発明によれば、外部接続配管に設けた固定部材をパネルにネジで固定するので、溶接やロウ付けのようにパネルの孔を塞ぐ断熱材を焼いてシール機能を損なってしまうこともなく、容易に外部接続配管を固定部材を介してパネルに固定することができる。
【発明を実施するための最良の形態】
【００１１】
以下、この発明の実施の形態を図に基づいて説明する。
図１はこの発明にかかる空気調和装置の室内ユニットの冷媒回路の斜視図であり、図２はこの発明にかかる空気調和装置の室内ユニットの斜視図であり、図３は空気調和装置における冷媒回路図である。
【００１２】
図示のように、1は熱交換器、２ａは液側外部接続配管、２ｂはガス側外部接続配管、３ａは液側固定部材、３ｂはガス側固定部材、４はパネル、５は固定手段の一例のネジである。
【００１３】
熱交換器１に繋がっている液側外部接続配管２ａ並びにガス側外部接続配管２ｂは、外部の冷媒配管（図示せず）に接続する配管であって、パネル４から外に突出させる所定長さの各先端部７a、７bがパネル４に形成した各孔６ａ、６ｂから外に突出して設けられる。
【００１４】
パネル４は、Ｌ状に形成した金属板であって、室内ユニットの所定の端部に固定して設けられ、一定間隔を以て２箇所に、上記した液側外部接続配管２ａ並びにガス側外部接続配管２ｂの外径より僅かに大きい径の孔６ａ、６ｂが形成してある。
【００１５】
液側固定部材３ａ並びにガス側固定部材２ｂは、矩形状の同一の金属板であって、中央に上記した液側外部接続配管２ａ並びにガス側外部接続配管２ｂの外径より僅かに大きい径の孔８a、８bが形成してある。さらに、液側固定部材３ａ並びにガス側固定部材２ｂの各孔８a、８bの両側には、予めネジ固定用の下穴９a、９bが形成してある。また、液側固定部材３ａ並びにガス側固定部材２ｂの材質は、溶接しやすい黄銅を使用している。
【００１６】
液側外部接続配管２ａ並びにガス側外部接続配管２ｂには、それぞれ先端から所定長さの位置に、液側固定部材３ａ並びにガス側固定部材３ｂを通し位置させ、外周を溶接して液側固定部材３ａ並びにガス側固定部材３ｂを固定してある。
【００１７】
この液側固定部材３ａ並びにガス側固定部材３ｂを固定して設けた液側外部接続配管２ａ並びにガス側外部接続配管２ｂの各先端部７a、７bを、パネル４の内側から各孔６ａ、６ｂに通して、液側固定部材３ａ並びにガス側固定部材３ｂをパネル４の内面に当接させ、外からネジ５をパネル４を介して各液側固定部材３ａ並びにガス側固定部材３ｂの各孔８a、８bの両側の下穴９a、９bにねじ込んで、液側固定部材３ａ並びにガス側固定部材３ｂをパネル４に固定する。
【００１８】
このことにより、液側外部接続配管２ａ並びにガス側外部接続配管２ｂは、所定長さの各先端部７a、７bをパネル４から外に正確に突出した状態とすることができ、従来のように梱包材との接触や梱包材から飛び出した部分の外部との接触がなくなり、配管破損もなく適正梱包寸法での設計ができる。よって、安価な接続方法が可能であることや、外部接続配管２ａ、２ｂの保護、シール性維持による能力低下およびゴミ侵入の防止ができる。
【００１９】
なお、液側固定部材３ａ並びにガス側固定部材３ｂは、各孔８a、８bの中央で２つに分割形成したものであってもよい。また、パネル４に形成する液側外部接続配管２ａ用並びにガス側外部接続配管２ｂ用の孔６ａ、６ｂは、長孔であってもよい。また、固定手段はネジに限らずボルトでもよく、またパネルの内側に嵌合部（図示省略）を設け、この嵌合部に液側固定部材３ａ並びにガス側固定部材３ｂを、パネル内面に沿ってはめ込んで係止できる構成であってもよい。
【図面の簡単な説明】
【００２０】
【図１】この発明にかかる空気調和装置の室内ユニットの冷媒回路の斜視図である。
【図２】この発明にかかる空気調和装置の室内ユニットの斜視図である。
【図３】空気調和装置における冷媒回路図である。
【符号の説明】
【００２１】
1熱交換器、２ａ  液側外部接続配管、２ｂ  ガス側外部接続配管、３ａ  液側固定部材、３ｂ  ガス側固定部材、４  パネル、５  固定手段（ネジ）、６ａ  孔、６ｂ  孔。
【図１】
2006275456.tif 000003
【図２】
2006275456.tif 000004
【図３】
2006275456.tif 000005